(57)【要約】【課題】              歩行型の溝切機と同等に軽量であっても溝切作業時には乗用とすることで作業者の重量を利用して深い溝を形成すると共に、極めて軟弱な湿田であった場合には溝切作業を作業者が歩行しながら作業を行うことができる、すなわち水田の状況によって、作業者が乗用、歩行用と容易に切り替えが可能な溝機機を提供する。【解決手段】          機体の進行方向に対して前方又は後方のいずれかに駆動部と溝切部を設け、作業者が搭乗する搭乗部と駆動部と溝切部が互いに連結したフレームの一部に搭乗部が回転する支点を設け、機体の進行方向に対して垂直方向もしくは水平方向に回転可能として、溝切機を乗用と歩行での溝切作業を可能とした。【選択図】          図４
2006016870.tif 000002
【特許請求の範囲】
【請求項１】
機体の進行方向に対して前方又は後方のいずれかに駆動部と溝切部を設け、作業者が搭乗する搭乗部と駆動部と溝切部が互いに連結され、作業者が搭乗部に搭乗して作業者の重量を利用して溝を形成できる溝切機であって、搭乗部には作業者が機体を保持する保持部材を一体に設けたことを特徴とする溝切機。
【請求項２】
機体の進行方向に対して前方又は後方のいずれかに駆動部と溝切部を設け、作業者が搭乗する搭乗部と駆動部と溝切部が互いに連結され、搭乗部は作業者の重心が駆動部の軸心から溝切部の外端までの範囲になるよう設けられていて、作業者が搭乗部に搭乗して作業者の重量を利用して溝を形成できる溝切機であって、搭乗部には作業者が機体を保持する保持部材を一体に設けたことを特徴とする溝切機。
【請求項３】
保持部材を設けた搭乗部は、駆動部と溝切部と搭乗部が互いに連結されたフレームの一部を支点として、機体の進行方向に対して垂直姿勢及び水平姿勢に起倒可能（自在）、もしくは水平姿勢を維持しながら回転可能であることを特徴とする請求項１又は請求項２に記載の溝切機。
【請求項４】
連結されたフレームの一部を支点として、機体の進行方向に対して垂直姿勢及び水平姿勢に起倒可能（自在）、もしくは水平姿勢を維持しながら回転可能である搭乗部は、作業者が機体の進行方向における全長より略後方に位置した場合、作業者は搭乗部を垂直姿勢及び水平姿勢に起倒（自在）、もしくは水平姿勢を維持しながら回転させ、作業者が保持部材を保持しやすい任意の位置に搭乗部を固定可能として、作業者が本機の略後方より追従歩行しながら溝切作業を行えることを特徴とする請求項３記載の溝切機。
【請求項５】
保持部材を設けた搭乗部は、駆動部と溝切部と搭乗部が互いに連結されたフレームから機体の進行方向に対して前後方向に反転して着脱可能であることを特徴とする請求項１又は請求項２に記載の溝切機。
【請求項６】
機体の進行方向に対して前後方向に反転して着脱可能な搭乗部は、作業者が機体の進行方向における全長より略後方に位置した場合、作業者は搭乗部をフレームから取り外し、進行方向に対して反転して装着し、作業者が保持部材を保持しやすい任意の位置に搭乗部を固定可能として、作業者が本機の略後方より追従歩行しながら溝切作業を行えることを特徴とする請求項５記載の溝切機。
【発明の詳細な説明】
【技術分野】
【０００１】
本発明は、水田に給排水を速やかに行うための溝を形成する溝切機に関する。
【背景技術】
【０００２】
従来、圃場（水田）に給排水を速やかに行い作物の生育を良好にする目的で溝切作業が行われているが、従来から使用されている作業者追従歩行型の溝切機は、駆動輪の後方に三角板を取付け、その三角板を作業者が地面に押し付けながら駆動輪に牽引されることで溝を形成していく溝切機が主流となっている。また乗用のものでは田植機のような４輪の作業機の後方に溝切板を複数取付け、地面に押し付けながら溝を形成していく溝切機は公知である。
【０００３】
特許文献１のように溝切板をそろばんの玉型にしたものや、特許文献２のようにエンジンの重量を駆動輪に付加して推進力を増し、水田の土が若干固くなっても溝を形成できるようにしたものや、特許文献３のように、作業者が搭乗できる補助台板の底面に溝切部を設けて、作業者が搭乗して溝を切る溝切機も既に公知である。
【０００４】
また、機体の進行方向に対して前方または後方のいずれかに駆動部と溝切部を設け、作業者が搭乗できるように構成された溝切装置において、溝切装置に搭乗した作業者の重心が駆動部の動輪の軸心から溝切部の外端までにあるように作業者の搭乗場所を設けて、作業者の重量で溝を切る溝切装置を平成１５年８月２９日（特許文献４）に本特許請求人が出願を行っている。
【０００５】
【特許文献１】実開昭６４−１９６５４号公報
【特許文献２】実開昭６２−６０１０１号公報
【特許文献３】実開昭５５−８７４２号公報
【特許文献４】特願２００３−３０６００８号
【発明の開示】
【発明が解決しようとする課題】
【０００６】
乗用の４輪作業機での溝切作業は作業者にとって楽な作業であるが、旋回時の稲の踏みつけや溝同士の接合がうまく行われなかったり、作業機の水田への入退場で畦を壊してしまうなどの不具合点が多く、いまだ普及に至っていない。
【０００７】
歩行型の上記特許文献１や特許文献２のように若干水田の土が固くなっても作業できるよう考案された溝切機は、溝切板を地面に押し付ける労力は結局作業者が請け負うことになるので決して楽な作業であるとは言えないし、特許文献３では、乗用であるものの、作業者の重心が溝切板より後方にあるので駆動部が空転する可能性が高く、空転防止をするためには駆動部の重量を重くする必要がある。溝切機自体の重量が増えることは作業者にとって扱いづらい機械になってしまうので、良好な溝切作業が出来るとは言いがたい。
【０００８】
そこで、本特許請求人は作業者が乗用可能でしかも歩行型と同等に軽くまた、作業者の体重を利用して深い溝を形成できる乗用の溝切装置（特許文献４）の出願に至った。
【０００９】
しかしながら、極まれに点在する地盤が極端に軟弱な湿田においては、本特許請求人が提案した特許文献４の溝切装置を利用した場合に、作業者の重量によって溝切機の駆動部・溝切部共に湿田に深く嵌りこんでしまう現象が発生することが実験で判明した。
【００１０】
また、本特許請求人の出願した特許文献４の溝切装置であっては、運搬時例えば道路から畦を越え水田に溝切装置を搬入する場合に、常に作業者が溝切装置を持ち上げて運搬する必要があり、溝切装置自体を駆動させ自走させることが不可能であった。
【００１１】
そこで本発明は、従前の歩行型の溝切機と同等に軽量であっても溝切作業時には乗用とすることで作業者の重量を利用して深い溝を形成すると共に、極端に軟弱な湿田であった場合には溝切作業を作業者が歩行しながら作業を行うことができる、すなわち水田の状況によって、作業者が乗用、歩行用と容易に切り替えが可能な溝機機を提供し、すべての水田に溝切作業を行うことができる溝切機を提供することを目的とする。
【課題を解決するための手段】
【００１２】
上記目的を達成するために、本発明は請求項１ないし請求項６に係わる溝切機を提案するものである。
【００１３】
即ち、請求項１に係わる溝切機は、機体の進行方向に対して前方又は後方のいずれかに駆動部と溝切部を設け、作業者が搭乗する搭乗部と駆動部と溝切部が互いに連結され、作業者が搭乗部に搭乗して作業者の重量を利用して溝を形成できる溝切機であって、搭乗部には作業者が機体を保持する保持部材を一体に設けたことを特徴とするものである。
【００１４】
請求項２に係わる溝切機は、機体の進行方向に対して前方又は後方のいずれかに駆動部と溝切部を設け、作業者が搭乗する搭乗部と駆動部と溝切部が互いに連結され、搭乗部は作業者の重心が駆動部の軸心から溝切部の外端までの範囲になるよう設けられていて、作業者が搭乗部に搭乗して作業者の重量を利用して溝を形成できる溝切機であって、搭乗部には作業者が機体を保持する保持部材を一体に設けたことを特徴とするものである。
【００１５】
請求項３に係わる溝切機は、請求項１又は請求項２に記載の溝切機において、保持部材を設けた搭乗部は、駆動部と溝切部と搭乗部が互いに連結されたフレームの一部を支点として、機体の進行方向に対して垂直姿勢及び水平姿勢に起倒可能（自在）、もしくは水平姿勢を維持しながら回転可能であることを特徴とするものである。
【００１６】
請求項４に係わる溝切機は、請求項３に記載の溝切機において、連結されたフレームの一部を支点として、機体の進行方向に対して垂直姿勢及び水平姿勢に起倒可能（自在）、もしくは水平姿勢を維持しながら回転可能である搭乗部は、作業者が機体の進行方向における全長より略後方に位置した場合、作業者は搭乗部を垂直姿勢及び水平姿勢に起倒（自在）、もしくは水平姿勢を維持しながら回転させ、作業者が保持部材を保持しやすい任意の位置に搭乗部を固定可能として、作業者が本機の略後方より追従歩行しながら溝切作業を行えることを特徴とするものである。
【００１７】
請求項５に係わる溝切機は、請求項１又は請求項２に記載の溝切機において、保持部材を設けた搭乗部は、駆動部と溝切部と搭乗部が互いに連結されたフレームから機体の進行方向に対して前後方向に反転して着脱可能であることを特徴とするものである。
【００１８】
請求項６に係わる溝切機は、請求項５に記載の溝切機において、機体の進行方向に対して前後方向に反転して着脱可能な搭乗部は、作業者が機体の進行方向における全長より略後方に位置した場合、作業者は搭乗部をフレームから取り外し、進行方向に対して反転して装着し、作業者が保持部材を保持しやすい任意の位置に搭乗部を固定可能として、作業者が本機の略後方より追従歩行しながら溝切作業を行えることを特徴とするものである。
【発明の効果】
【００１９】
本発明によれば、土壌が固い水田または乾いて土の固くなった水田であっても、作業者の重量を利用して容易に深い溝を形成できると共に、極端に軟弱な湿田で乗用作業機が使用できない水田もしくは、土壌が極めて柔らかく容易に深い溝が切れる水田または、深い溝を必要としない場合においては、溝切機を歩行用とすることで状況にあった溝切作業を可能となる。即ち一台の溝切機を乗用、歩行用と切り替えが容易に変更可能であるので、いかなる条件の異なった水田であっても溝切作業を容易に行うことができる。
【００２０】
また、溝切機を乗用として使用する場合の作業者が溝切機を保持するための保持部材（グリップ）と、溝切機を歩行用として使用する場合の作業者が溝切機を保持するための保持部材（グリップ）は同じものを使用しているため、溝切機自体の重量を増すこと無く構成できる。
【発明を実施するための最良の形態】
【００２１】
図１には本発明の実施の形態に係わる溝切機の乗用作業状態を示す正面図、図２には図１の実施における作業者の重心を示す平面図、図３には図２の作業実施の平面詳細と溝切部の断面詳細を示す図、図４には本発明の第１の実施を示す溝切機の正面図、図５には本発明の第１の作業実施を示す正面図、図６には本発明の第２の実施を示す平面図、図７には本発明の第２の実施を示す正面図、図８には本発明の第３の実施を示す平面図、図９には本発明の第３の作業実施を示す正面図である。
【００２２】
溝切機１は駆動部２と溝切部３と搭乗部４がフレーム５によって連結し、駆動部２と溝切部３とを連結する連結フレームＡ６と、連結フレームＡ６と搭乗部４とを連結する連結フレームＢ７によってそれぞれを連結している。
【００２３】
進行方向前方に駆動部２、後方に溝切部３、そして搭乗部４は駆動部２と溝切部３の間の上方で、作業者８の重心が駆動部２の軸心９から溝切部３の外端の範囲内になるよう設けられている（図２）。
【００２４】
駆動部２はエンジン１１からの動力を動力伝達軸１２を経由してギアボックス１３に至り、車輪１４を駆動させている。なお、１５は滑り止めであって車輪１４に等間隔に設置されている。場合によっては車輪１４による稲の葉、茎の踏みつけ、巻き込みを防止するため、車輪１４の前方の両側を囲む保護板１６が設けられていると良い。
【００２５】
ギアボックス１３には連結フレームＡ６の一端が接続されその他端には溝切部３が接続されている。溝切部３は図２および図３に示すように、傾斜板１７と底板１８とで構成され、底板１８によって溝切部３が耕盤１９より沈み込まないようになっているので、水田に形成される溝の断面は底辺のあるＶ型の溝となる。
【００２６】
搭乗部４と接続された連結フレームＢ７は駆動部２と溝切部３の間の連結フレームＡ６と接続されている。搭乗部４は作業者８が腰掛ける座面２０と、その座面２０より進行方向前方に作業者８が溝切機１を保持するための保持部材２１が設けられている。そして保持部材２１は作業者８が座面２０に進行方向に向かって腰掛けた場合、自然な姿勢で握れる位置に設けられていると共に、略肩幅の範囲でグリップ２２が設けられている。保持部材２１または、このグリップ２２はエンジンの回転を調整する回転調整装置２４を装備しており、この回転調整装置２４によって駆動部２の車輪１４に動力の伝達の断続と、回転数の調節ができるようになっている。
【００２７】
図３において、２８は稲株であって、溝切機１は稲株２８・２８の間を車輪１４が進行し、車輪１４の轍を溝切部３の鋭角になった先端が通過するようになっている。
【００２８】
作業者８は搭乗部４の保持部材２１（グリップ２２）の両端を手でつかみ、そして座面２０にまたがり全体重を加える。その後保持部材２１に装備された回転調整装置２４を操作し、エンジン１１の回転数を上げ車輪１４を回転させ溝切機１を進行方向に向かって移動させる。本機の車輪の回転で進行すると同時に、溝切部３が水田の土壌内に深く入り込み図３の断面Ａ-Ａ詳細のように底面のあるＶ型の溝を形成する。溝切機１の車輪１４と溝切部３は作業者８の自重によって深く土中にくい込み、車輪１４とそれに装備されている滑り止め１５は耕盤１９まで達し、空転することなく溝切機を進行方向に導き、そして溝切部３の底板１８が耕盤１９に達するまでの深い溝を形成する。
【００２９】
作業者８は車輪１４が空転しそうな場合、搭乗部４の進行方向の前方に作業者８の重心を移動して車輪１４に加わる重量を増し、また形成される溝の深さが足りない場合は、搭乗部４の後方に作業者８の重心を移動して溝切部３に加わる重量を増やすなどして、圃場の土の状態に応じて作業者８は搭乗部４の座面２０の座る位置を移動すると良い。実験の結果から、駆動部２（前）と溝切部３（後）に加わる作業者８の前後重量配分は８０対２０から４０対６０の範囲がもっとも良好であった。
【００３０】
なお、溝切機３の先端が車輪１４の轍を分け入って走行するようになっているので、直進性が良くなると同時に、車輪１４の走行跡を残さず溝切作業を行うことができる。
【実施例１】
【００３１】
図４及び図５では、本発明の第１の実施の形態の溝切機について例示している。搭乗部４と連結フレームＢ７は支点Ａ２３で連結されていて、支点Ａ２３を中心に搭乗部４は進行方向に対して前方から後方にかけて垂直姿勢および水平姿勢に起倒可能（自在）としている。搭乗部４は支点Ａ２３を中心に前方から後方の垂直姿勢方向に持ち上げ、座面２０が上方から下方に向くように回転させる。作業者８は溝切機１の進行方向の略後方に立ち、図５に示すようにグリップ２２を作業者８が自然に把持できる位置まで回転できるようになっている。
【００３２】
保持部材２１（グリップ２２）が本機の進行方向に対して前方に位置し、作業者８が本機に乗用しながら溝切作業を行おうとする場合、搭乗部４は支点Ａ２３を中心にまったく回転していない状態であって、この場合連結フレームＢ７と搭乗部４は隣接して上下ロック機構により固定されている。この上下ロック機構は容易に解除でき、しかも支点Ａ２３を中心に搭乗部４を進行方向に対して前方から後方へ、即ち水平姿勢から垂直姿勢の垂直方向に回転途中で任意の場所又は、作業者８がグリップ２２を自然に保持しやすい場所に、この上下ロック機構によって支点Ａ２３の回転を固定できるようになっている（図示せず）。
【００３３】
作業者８は溝切機１の搭乗部４の保持部材２１が機体の前方に配置されていることと、上下ロック機構によって搭乗部４が支点Ａ２３によって垂直姿勢方向に回転しないことを確認し、搭乗部４の保持部材２１（グリップ２２）の両端を手でつかみ、そして座面２０にまたがり全体重を加える。その後保持部材２１に装備された回転調整装置２４を操作し、エンジン１１の回転数を上げ車輪１４を回転させ溝切機１を進行方向に向かって移動させる。溝切機１は車輪１４の回転で進行すると同時に、溝切部３が水田の土壌内に深く入り込み図３の断面Ａ-Ａ詳細のように底面のあるＶ型の溝を形成する。溝切機１の車輪１４と溝切部３は作業者８の自重によって深く土中にくい込み、車輪１４とそれに装備されている滑り止め１５は耕盤１９まで達し、空転することなく溝切機を進行方向に導き、そして溝切部３の底板１８が耕盤１９に達するまでの深い溝を形成する。
【００３４】
しかしながら、強湿田と呼ばれる水田、又は同じ水田内であってもとても軟弱で耕盤１９が深い場合又は耕盤１９の存在しない水田においては作業者８の重量を車輪１４及び溝切部３に加えることによって溝切機１自体が水田の土壌内に深く埋没してしまい走行または離脱が困難になってしまう場合がある。このような場合には作業者８は溝切機１の搭乗部４の座面２０から降り、連結フレームＢと搭乗部４を隣接して固定している上下ロック機構を解除し、支点Ａ２３を中心にして搭乗部４の保持部材２１を垂直姿勢方向に持ち上げ、保持部材２１を機体の後方に回転させる。そして作業者８が溝切機１を保持しやすい場所に保持部材２１（グリップ２２）を位置させ、上下ロック機構を操作し支点Ａ２３の回転を停止させ、接続フレームＢ７と搭乗部４を固定して作業者８が本機を保持できるようにする。
【００３５】
作業者８は溝切機１の全長より進行方向に対し後方に位置し、保持部材２１に設けられる回転調整装置２４を調整し溝切機１の車輪１４を回転させ進行方向に本機を移動させ、作業者８は本機に追従して歩行する。この場合、車輪１４と溝切部４に加わる重量は本機の重量だけであるので、軟弱な地盤であっても走行及び溝切作業が可能であって、必要とするならば、作業者８自体が保持部材２１を進行方向に押し、溝切機１に補助の動力を加えることも可能である。
【実施例２】
【００３６】
図６及び図７では、本発明の第２の実施の形態の溝切機について例示している。搭乗部４と連結フレームＢ７は左右回転軸２５で連結されていて、支点Ｂ２６を中心として搭乗部４は平面状の水平方向に進行方向の前方から後方にかけて水平姿勢を維持しながら回転可能としている。搭乗部４は支点Ｂ２６を中心に前方から後方に水平方向に回転するので水平姿勢を維持し、座面２０が常に上方を向くようになっている（図６）。図７では左右回転軸２５は地面に対して略９０度の角度で連結フレームＢ７と接合されているので、保持部材２１（グリップ２２）の地面からの高さは、保持部材２１が進行方向の前方、後方のどちらを向いても同じ高さとなっているが、連結フレームＢ７に接合される左右回転軸２５が地面に対して９０度より若干の前後範囲の角度を持って接合すると、保持部材２１が前方と後方に向けたときの高さが変えられるので、作業者８が本機を保持するための保持部材２１のグリップ２２を乗用したときに持ちやすい高さと、自然に歩きながら溝切作業がしやすい高さにそれぞれ設定することができるので、この連結フレームＢ７と左右回転軸２５の取付けは、若干の角度の調節ができるようになっていると良い（図示せず）。
【００３７】
保持部材２１（グリップ２２）が溝切機１本体の前方に位置する溝切機１を作業者８が乗用して使用する場合、即ち搭乗部４が支点Ｂ２６を中心にまったく回転していない状態において、連結フレームＢに対して搭乗部４を回転させる左右回転軸２５の回転を固定する左右ロック機構によって回転を防止している（図示せず）。この左右ロック機構は容易に解除でき、しかも支点Ｂ２６を中心に搭乗部４を前方から後方の横回転途中で任意の場所にこの左右ロック機構によって左右回転軸２５の回転を固定できるようになっている。
【００３８】
作業者８は溝切機１の搭乗部４の保持部材２１が機体の前方に配置されていることと、左右ロック機構によって搭乗部４が支点Ａ２３によって水平方向に回転しないことを確認し、搭乗部４の保持部材２１のグリップ２２の両端を把持し、そして座面２０にまたがり全体重を加える。その後保持部材２１に装備された回転調整装置２４を操作し、エンジン１１の回転数を上げ車輪１４を回転させ溝切機１を進行方向に向かって移動させる。本機の車輪１４の回転で進行すると同時に、溝切部３が水田の土壌内に深く入り込み図３の断面Ａ-Ａ詳細のように底面のあるＶ型の溝を形成する。溝切機１の車輪１４と溝切部３は作業者８の自重によって深く土中にくい込み、車輪１４とそれに装備されている滑り止め１５は耕盤１９まで達し、空転することなく溝切機を進行方向に導き、そして溝切部３の底板１８が耕盤１９に達するまでの深い溝を形成する。
【００３９】
実施例１と同様に、強湿田と呼ばれる水田、又は同じ水田内であってもとても軟弱で耕盤１９が深い場合又は耕盤１９が存在しない水田においては作業者８の重量を車輪１４及び溝切部３に加えることによって溝切機１自体が水田の土壌内に深く埋没してしまい走行または離脱が困難になってしまう場合がある。そこで、作業者８は溝切機１の搭乗部４の座面２０から降り、連結フレームＢ７と搭乗部４の水平回転を固定している左右ロック機構を解除し、支点Ｂ２６を中心にして搭乗部４の保持部材２１を持ち、保持部材２１を機体の後方へ水平姿勢を維持しながら水平方向に回転させる。そして作業者８が溝切機１を保持しやすい場所に保持部材２１（グリップ２２）を位置させ、左右ロック機構を操作し左右回転軸２５の回転を固定させ、作業者８が本機を保持できるようにする。作業者８がこの実施例２を用いて追従歩行しながら溝切作業を行おうとする場合、搭乗部４を１８０度水平回転させた状態が作業しやすくなる。
【００４０】
作業者８は溝切機１の全長より進行方向に対し後方に位置し、保持部材２１に設けられる回転調整装置２４を調整し溝切機１の車輪１４を回転させ進行方向に本機を移動させる。この場合、車輪１４と溝切部４に加わる重量は本機の重量だけであるので、軟弱な地盤であっても走行及び溝切作業が可能であって、必要とするならば、作業者８自体が保持部材２１を進行方向に押し、溝切機１に補助の動力を加えることも可能である。
【実施例３】
【００４１】
図８及び図９では、本発明の第３の実施の形態の溝切機について例示している。搭乗部４と連結フレームＢ７は連結ピン２７で連結されていて、この連結ピン２７を取り外すことによって連結フレームＢと搭乗部４を容易に分離し、搭乗部４の保持部材２１を進行方向とその対称方向に水平姿勢を保ちながら反転させてこの連結ピン２７によって再度固定することができる。
【００４２】
図８では連結ピン２７を２本用いて連結フレームＢ７と搭乗部４を連結しているが、連結ピン２７を１本での使用であっても良い。
【００４３】
作業者８は溝切機１の搭乗部４の保持部材２１が機体の前方に配置されていることと、連結ピン２７で搭乗部４が連結フレームＢ７に固定されていることを確認し、搭乗部４の保持部材２１（グリップ２２）の両端を手でつかみ、そして座面２０にまたがり全体重を加える。その後保持部材２１に装備された回転調整装置２４を操作し、エンジン１１の回転数を上げ車輪１４を回転させ溝切機１を進行方向に向かって移動させる。本機の車輪１４の回転で進行すると同時に、溝切部３が水田の土壌内に深く入り込み図３の断面Ａ-Ａ詳細のように底面のあるＶ型の溝を形成する。溝切機１の車輪１４と溝切部３は作業者８の自重によって深く土中にくい込み、車輪１４とそれに装備されている滑り止め１５は耕盤１９まで達し、空転することなく溝切機を進行方向に導き、そして溝切部３の底板１８が耕盤１９に達するまでの深い溝を形成する。
【００４４】
実施例１および実施例２と同様に、強湿田と呼ばれる水田、又は同じ水田内であってもとても軟弱で耕盤１９が深い場所にある又は耕盤１９が存在しない水田においては作業者８の重量を車輪１４及び溝切部３に加えることによって溝切機１自体が水田の土壌内に深く埋没してしまい走行または離脱が困難になってしまう場合がある。そこで、作業者８は溝切機１の搭乗部４の座面２０から降り、連結フレームＢ７と搭乗部４を連結している連結ピン２７を取り外し、搭乗部４を連結フレームＢ７から分離する。そして保持部材２１が進行方向の前方に位置している搭乗部４を対称方向に反転させ、保持部材２１を後方に位置させて連結ピン２７によって再度連結フレームＢ７と搭乗部４を連結する。
【００４５】
作業者８は溝切機１の全長より進行方向に対し後方に位置し、保持部材２１に設けられる回転調整装置２４を調整し溝切機１の車輪１４を回転させ進行方向に本機を移動させる。この場合、車輪１４と溝切部４に加わる重量は本機の重量だけであるので、軟弱な地盤であっても走行及び溝切作業が可能であって、必要とするならば、作業者８自体が保持部材２１を進行方向に押し、溝切機１に補助の動力を加えることも可能である。
【産業上の利用可能性】
【００４６】
従来から水田においての溝切作業は、水田の潅水・落水を計画的に行なうことが出来ることから、稲の根の成長を促し倒伏しない丈夫で多収な稲を作るとこが周知されている。しかしながら、溝切作業自体が重労働であって低コスト・低労力を追求する現在の農法では取り入れがたい作業となっている。
【００４７】
そこで、本発明では乗用式であっても軽量で人力によって簡単に移動でき、作業者の自重を利用して深い溝を容易に形成できる溝切装置を提供すると共に、強湿田と呼ばれる水田でも乗用式の溝切機を歩行用としても使用できるようになっているので、全ての水田において、根張り成長の著しい稲を生産出来るようにしたものである。
【００４８】
根張りの良い稲とは、冷害・病害虫に強い健全な稲で、食味の良質な米となる可能性を飛躍的に向上させることになるので、品質の悪い米の流通を少しでも軽減することができると同時に、主食である米全体の食味及び品質の向上又は消費量の拡大を促し、日本農業の基礎体力を上げる働きもあると考える。
【図面の簡単な説明】
【００４９】
【図１】本発明の実施の形態に係わる溝切機の乗用作業状態を示す正面図である。
【図２】図１の実施における作業者の重心を示す平面図である。
【図３】図２の作業実施の平面詳細と溝切部の断面詳細を示す図である。
【図４】本発明の第１の実施を示す溝切機の正面図である。
【図５】本発明の第１の作業実施を示す正面図である。
【図６】本発明の第２の実施を示す平面図である。
【図７】本発明の第２の実施を示す正面図である。
【図８】本発明の第３の実施を示す平面図である。
【図９】本発明の第３の作業実施を示す正面図である。
【符号の説明】
【００５０】
１  溝切機
２  駆動部
３  溝切部
４  搭乗部
５  フレーム
６  連結フレームＡ
７  連結フレームＢ
８  作業者
９  軸心
１１  エンジン
１２  動力伝達軸
１３  ギアボックス
１４  車輪
１５  滑り止め
１６  保護板
１７  傾斜板
１８  底板
１９  耕盤
２０  座面
２１  保持部材
２２  グリップ
２３  支点Ａ
２４  回転調節装置
２５  左右回転軸
２６  支点Ｂ
２７  連結ピン
２８  稲株
【図１】
2006016870.tif 000003
【図２】
2006016870.tif 000004
【図３】
2006016870.tif 000005
【図４】
2006016870.tif 000006
【図５】
2006016870.tif 000007
【図６】
2006016870.tif 000008
【図７】
2006016870.tif 000009
【図８】
2006016870.tif 000010
【図９】
2006016870.tif 000011